【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
撮像光学系を介した撮像により生成された画像に対して補正処理を行う画像処理装置であって、
前記撮像光学系の互いに異なる複数の絞り値に対応する複数のフィルタを記憶する記憶手段と、
前記記憶手段に記憶された前記複数のフィルタのうち、前記画像を撮像した際の絞り値に応じたフィルタを用いて、前記画像に対して回折補正を行う画像処理手段を有し、
前記記憶手段に記憶された前記複数のフィルタに対応する前記複数の絞り値は、前記画像を撮像する際に設定可能な絞り値のうちの、所定の範囲に含まれる絞り値であり、
前記画像処理手段は、
前記画像を撮像した際の絞り値が前記所定の範囲に含まれている場合には、前記複数のフィルタのうち、前記画像を撮像した際の絞り値に近い絞り値に対応するフィルタを用いて、前記画像に対して回折補正を行い、
前記画像を撮像した際の絞り値が前記所定の範囲に含まれていない場合には、前記絞り値の値に係わらず、前記複数のフィルタのうちの予め定められたフィルタを用いて、前記画像に対して回折補正を行うことを特徴とする画像処理装置。
【請求項２】
前記所定の範囲は、第１の絞り値以上の複数の絞り値であり、
前記画像処理手段は、前記画像を撮像した際の絞り値が前記第１の絞り値よりも小さい場合には、前記第１の絞り値に対応するフィルタを用いて、前記画像に対して回折補正を行うことを特徴とする請求項１に記載の画像処理装置。
【請求項３】
前記所定の範囲は、第２の絞り値以下の複数の絞り値であり、
前記画像処理手段は、前記画像を撮像した際の絞り値が前記第２の絞り値よりも大きい場合には、前記第２の絞り値に対応するフィルタを用いて、前記画像に対して回折補正を行うことを特徴とする請求項１または２に記載の画像処理装置。
【請求項４】
前記画像処理手段は、前記画像を撮像した際の絞り値が前記第１の絞り値よりも小さい場合に、前記第１の絞り値に対応するフィルタを用いて前記画像に対して回折補正を行った後の画像と、該回折補正を行う前の前記画像を、加重加算することを特徴とする請求項１または２に記載の画像処理装置。
【請求項５】
前記加重加算の割合は、前記画像を撮像した際の絞り値に応じて設定されることを特徴とする請求項４に記載の画像処理装置。
【請求項６】
前記加重加算の割合は、前記画像を撮像した際の絞り値に応じて非線形に変化することを特徴とする請求項５に記載の画像処理装置。
【請求項７】
前記複数のフィルタのそれぞれは、前記撮像光学系の光学伝達関数に基づいて生成されたものであることを特徴とする請求項１乃至６のいずれか１項に記載の画像処理装置。
【請求項８】
撮像光学系を介した撮像により生成された画像に対して補正処理を行う画像処理方法であって、
記憶手段に記憶された、前記撮像光学系の互いに異なる複数の絞り値に対応する複数のフィルタのうち、前記画像を撮像した際の絞り値に応じたフィルタを用いて、前記画像に対して回折補正を行う画像処理工程を有し、
前記記憶手段に記憶された前記複数のフィルタに対応する前記複数の絞り値は、前記画像を撮像する際に設定可能な絞り値のうちの、所定の範囲に含まれる絞り値であり、
前記画像処理工程において、
前記画像を撮像した際の絞り値が前記所定の範囲に含まれている場合には、前記複数のフィルタのうち、前記画像を撮像した際の絞り値に近い絞り値に対応するフィルタを用いて、前記画像に対して回折補正を行い、
前記画像を撮像した際の絞り値が前記所定の範囲に含まれていない場合には、前記絞り値の値に係わらず、前記複数のフィルタのうちの予め定められたフィルタを用いて、前記画像に対して回折補正を行うことを特徴とする画像処理方法。
【請求項９】
コンピュータに、撮像光学系を介した撮像により生成された画像に対して補正処理を実行させるコンピュータプログラムであって、
前記補正処理は、記憶手段に記憶された、前記撮像光学系の互いに異なる複数の絞り値に対応する複数のフィルタのうち、前記画像を撮像した際の絞り値に応じたフィルタを用いて、前記画像に対して回折補正を行う画像処理工程を有し、
前記記憶手段に記憶された前記複数のフィルタに対応する前記複数の絞り値は、前記画像を撮像する際に設定可能な絞り値のうちの、所定の範囲に含まれる絞り値であり、
前記画像処理工程において、
前記画像を撮像した際の絞り値が前記所定の範囲に含まれている場合には、前記複数のフィルタのうち、前記画像を撮像した際の絞り値に近い絞り値に対応するフィルタを用いて、前記画像に対して回折補正を行い、
前記画像を撮像した際の絞り値が前記所定の範囲に含まれていない場合には、前記絞り値の値に係わらず、前記複数のフィルタのうちの予め定められたフィルタを用いて、前記画像に対して回折補正を行うことを特徴とする画像処理プログラム。
【手続補正２】
【補正対象書類名】明細書
【補正対象項目名】発明の名称
【補正方法】変更
【補正の内容】
【発明の名称】画像処理装置、画像処理方法および画像処理プログラム
【手続補正３】
【補正対象書類名】明細書
【補正対象項目名】００１０
【補正方法】変更
【補正の内容】
【００１０】
本発明は、保持すべきデータ量を削減しつつ、絞りによる回折等の影響が良好に低減された画像を生成することが可能な画像処理装置等を提供する。
【手続補正４】
【補正対象書類名】明細書
【補正対象項目名】００１１
【補正方法】変更
【補正の内容】
【００１１】
本発明の一側面としての画像処理装置は、撮像光学系を介した撮像により生成された画像に対して補正処理を行う画像処理装置であって、前記撮像光学系の互いに異なる複数の絞り値に対応する複数のフィルタを記憶する記憶手段と、前記記憶手段に記憶された前記複数のフィルタのうち、前記画像を撮像した際の絞り値に応じたフィルタを用いて、前記画像に対して回折補正を行う画像処理手段を有し、前記記憶手段に記憶された前記複数のフィルタに対応する前記複数の絞り値は、前記画像を撮像する際に設定可能な絞り値のうちの、所定の範囲に含まれる絞り値であり、前記画像処理手段は、前記画像を撮像した際の絞り値が前記所定の範囲に含まれている場合には、前記複数のフィルタのうち、前記画像を撮像した際の絞り値に近い絞り値に対応するフィルタを用いて、前記画像に対して回折補正を行い、前記画像を撮像した際の絞り値が前記所定の範囲に含まれていない場合には、前記絞り値の値に係わらず、前記複数のフィルタのうちの予め定められたフィルタを用いて、前記画像に対して回折補正を行うことを特徴とする。
【手続補正５】
【補正対象書類名】明細書
【補正対象項目名】００１２
【補正方法】変更
【補正の内容】
【００１２】
また、本発明の他の一側面としての画像処理方法は、撮像光学系を介した撮像により生成された画像に対して補正処理を行う画像処理方法であって、記憶手段に記憶された、前記撮像光学系の互いに異なる複数の絞り値に対応する複数のフィルタのうち、前記画像を撮像した際の絞り値に応じたフィルタを用いて、前記画像に対して回折補正を行う画像処理工程を有し、前記記憶手段に記憶された前記複数のフィルタに対応する前記複数の絞り値は、前記画像を撮像する際に設定可能な絞り値のうちの、所定の範囲に含まれる絞り値であり、前記画像処理工程において、前記画像を撮像した際の絞り値が前記所定の範囲に含まれている場合には、前記複数のフィルタのうち、前記画像を撮像した際の絞り値に近い絞り値に対応するフィルタを用いて、前記画像に対して回折補正を行い、前記画像を撮像した際の絞り値が前記所定の範囲に含まれていない場合には、前記絞り値の値に係わらず、前記複数のフィルタのうちの予め定められたフィルタを用いて、前記画像に対して回折補正を行うことを特徴とする。
【手続補正６】
【補正対象書類名】明細書
【補正対象項目名】００１３
【補正方法】変更
【補正の内容】
【００１３】
また、本発明の他の一側面としての画像処理プログラムは、コンピュータに、撮像光学系を介した撮像により生成された画像に対して補正処理を実行させるコンピュータプログラムであって、前記補正処理は、記憶手段に記憶された、前記撮像光学系の互いに異なる複数の絞り値に対応する複数のフィルタのうち、前記画像を撮像した際の絞り値に応じたフィルタを用いて、前記画像に対して回折補正を行う画像処理工程を有し、前記記憶手段に記憶された前記複数のフィルタに対応する前記複数の絞り値は、前記画像を撮像する際に設定可能な絞り値のうちの、所定の範囲に含まれる絞り値であり、前記画像処理工程において、前記画像を撮像した際の絞り値が前記所定の範囲に含まれている場合には、前記複数のフィルタのうち、前記画像を撮像した際の絞り値に近い絞り値に対応するフィルタを用いて、前記画像に対して回折補正を行い、前記画像を撮像した際の絞り値が前記所定の範囲に含まれていない場合には、前記絞り値の値に係わらず、前記複数のフィルタのうちの予め定められたフィルタを用いて、前記画像に対して回折補正を行うことを特徴とする。